(57)【特許請求の範囲】
【請求項１】
機体とこの機体に揺動可能に支持した開閉カバーとの間に、開閉カバーを開位置で保持するためのステーを架設した写真処理装置において、
開閉カバーにおける前記ステーの連結部近傍に補強壁を一体に突設し、該補強壁には写真処理装置の構成機器を組み付けるようにしたことを特徴とする写真処理装置における開閉カバーの補強構造。
【請求項２】
補強壁が枠状に形成され、該補強壁内を写真処理装置の構成機器の収容空間としている請求項１記載の写真処理装置における開閉カバーの補強構造。
【請求項３】
写真処理装置の構成機器がコンベヤ装置である請求項１または２記載の写真処理装置における開閉カバーの補強構造。
【発明の詳細な説明】
【０００１】
【発明の属する技術分野】
本発明は、写真処理装置に揺動可能に支持している開閉カバーの補強構造に関する。
【０００２】
【従来の技術】
一般に写真処理装置の機体の上部には、機体内部のメンテナンス用の開口が設けられ、該開口は、平板状に形成された合成樹脂製の開閉カバーにより開閉されるのであって、この開閉カバーは、通常その一端がヒンジ部材を介して機体に枢着されている。
【０００３】
【発明が解決しようとする課題】
ところで、以上の写真処理装置において、合成樹脂材料から形成される開閉カバーが大型になるに伴い、該開閉カバーが変形し易くなるのであって、特に、開閉カバーと機体との間に、該開閉カバーを開位置で保持するためのステーを架設した場合には、ステーによる開閉カバーの開放時、該開閉カバーにおける前記ステーとの連結部位に荷重が集中的に加わり、開閉カバーが、より一層変形する恐れがある。
【０００４】
以上の不具合に対しては、開閉カバーの肉厚を全体的に厚くして、カバー全体の強度を高める方法もあるが、以上の対処方法では、カバーの重量がそれだけ増大して、該カバーの開閉に大きな力が必要となる問題がある。
一方、以上の写真処理装置においては、開閉カバーの上面に、例えば写真プリントを搬送するためのコンベヤ装置等が組み付けられることがあるが、従来では、かかるコンベヤ装置などの構成機器を前記開閉カバーに組み付けるに際して、組み付け用の部材を別途形成して、該組み付け部材を開閉カバーに固定した上で、この組み付け部材を介してコンベヤ装置等を開閉カバー上に組み付けるようにしていることから、部品点数並びに組み付け工程が増大する。
【０００５】
本発明は以上の実情に鑑みて開発したものであって、目的とするところは、開閉カバーの剛性を高めることが出来ながら、しかも組み付け部材を別途用意せずとも写真処理装置の構成機器の組み付けが簡単に行える写真処理装置における開閉カバーの補強構造を提供するにある。
【０００６】
【課題を解決するための手段】
以上の目的を達成するために請求項１記載の発明は、機体とこの機体に揺動可能に支持した開閉カバーとの間に、該開閉カバーを開位置で保持するためのステーを架設した写真処理装置において、開閉カバーにおける前記ステーの連結部近傍に補強壁を一体形成して、該補強壁に写真処理装置の構成機器を組み付けるようにしたのである。
【０００７】
また請求項２記載の発明は、請求項１記載の発明において、補強壁を枠状に形成して、該補強壁内に写真処理装置の構成機器の収容空間を設けたのであって、写真処理装置の構成機器としては、コンベヤ装置が適用される。
【０００８】
【発明の実施の形態】
以下、本発明を図面に基づいて説明する。
先ず図１は、本発明を適用する写真処理装置の一例を示している。
この写真処理装置１は、写真焼付機２と自動現像機３とを一体に構成したものであって、概略的には、写真焼付機２の焼付部において印画紙にネガフィルムの画像を露光した後、この露光済の印画紙を自動現像機３に送り込む一方、自動現像機３では、前記写真焼付機２から送られて来た露光済の印画紙を、現像処理部で現像処理すると共に乾燥部で乾燥して、出来上がった写真プリントを機体３０の上部に設けた排出口３１から排出するようにしている。
【０００９】
以上の自動現像機３における機体３０の上壁３２には、機体３０内の現像処理部にセットされている搬送ラックやフィルターエレメントの交換作業や点検・保守作業並びに処理液の水位点検作業等を行うための開口３３と、該開口３３を開閉する平面視略長方形の開閉カバー３４とが設けられている。
この開閉カバー３４は、合成樹脂材料により略平板状に形成され、図４に概略的に示すように、その一端部にスライド可能に設けた枢支軸３５を、前記機体３０に設けた支持部３６に枢着することで、該機体３０に対して上下方向揺動自在となり、且つ前記枢支軸３５のスライドによる前記支持部３６からの離脱により、機体３０から取り外し可能としている。
【００１０】
また前記機体３０と開閉カバー３４との間には、該開閉カバー３４を機体３０に対して所定の揺動位置で保持するためのダンパーステー４を配設して、該ダンパーステー４の長さ方向一端部を前記開閉カバー３４に、長さ方向他端部を機体３０の上壁３２にそれぞれ連結する一方、ダンパーステー４と前記開閉カバー３４との連結を離脱自在としている。
【００１１】
具体的には、前記ダンパーステー４として、円筒状のシリンダ筒４１にピストンロッド４２を出退可能に挿通支持した既存のガススプリング式のものを用い、前記シリンダ筒４１の基部を、機体３０の開口３３近傍にヒンジ部材４３を介して枢着する一方、図５及び図６に示すように、ピストンロッド４２の先端に、該ピストンロッド４２と直交する方向に延びる連結軸５を備えた連結片５０を固着している。
【００１２】
一方、図５及び図６で示すように、所定間隔開けて相対向する一対の対向壁６１と、これら対向壁６１の一端を連結する連結壁６２とから成る連結ブラケット６を形成して、前記連結壁６２をカバー３４の裏面にボルト止めすることで、該連結ブラケット６を開閉カバー３４の長さ方向一側部に固定すると共に、対向壁６１には、前記連結軸５が係止可能な係止部６３を形成している。
【００１３】
この係止部６３は、一端が対向壁６１の端縁で開口して開閉カバー３４の下面とほぼ平行に延びる挿通孔６４と、この挿通孔６４の他端から開閉カバー３４側に屈曲して、前記連結軸５が嵌合可能な嵌合孔６５とから構成され、連結軸５を挿通孔６４から嵌合孔６５に挿通して係止することで、連結軸５を介してダンパーステー４のピストンロッド４２を開閉カバー３４に連結し、また連結軸５を前記嵌合孔６５から前記挿通孔６４を通って係止部６３より離脱させることで、ピストンロッド４２と開閉カバー３４との連結を離脱させるようにしている。
【００１４】
しかして以上の構成の写真処理装置において、図に示す実施形態では、図３に示すように、開閉カバー３４の上面におけるダンパーステー４の連結部近傍に、該ダンパーステー４の連結部位を囲むように、平面視矩形とした枠状の補強壁７を上方に向かって一体に突設すると共に、この補強壁７の一側に略プレート状の受け皿部７０を連続させて一体形成して、これら補強壁７及び受け皿部７０により、開閉カバー３４における特に荷重が集中的に加わるダンパーステー４連結部位近傍の剛性を高めると共に、枠状に突設された補強壁７の内部空間を、後記するコンベヤ装置８の構成部品の収容空間Ｓとし、該補強壁７にコンベヤ装置８を組み付けるようにしている。
【００１５】
また枠状に形成された補強壁７の内側面には、上下に延びる円柱状の突起７１を４箇所に突設して、該突起７１により補強壁７自体の剛性を高めると共に、該突起７１には、その上端面に開口するねじ孔７２を形成している。
前述のコンベヤ装置８は、機体の排出口３１から排出される写真プリントを機体３０の前部側に搬送するためのものであって、基本的には、一対の回転ローラ８１と、これら両回転ローラ８１間に掛け渡した無端ベルト８２と、両回転ローラ８１を回転自由に支持した支持枠８３と、回転ローラ８１の一方を回転駆動させるための駆動装置（図示せず）とを備え、駆動装置を前記収容空間Ｓ内において開閉カバー３４の上面に固定すると共に、支持枠８３を補強壁７上に設置して、ビス８４を、支持枠８３に形成した貫通孔８５から前記突起７１のねじ孔７２に螺締することで、支持枠８３を補強壁７に固定し、無端ベルト８２により収容空間Ｓの上方を覆っている。
【００１６】
尚、図に示す実施形態では、支持枠８３の一側に把手部８６を設けている。
斯くして以上の写真処理装置においては、合成樹脂材料から形成されている開閉カバー３４が前記補強壁７により補強されているので、開閉カバー３４全体の肉厚を厚くしなくともその剛性が十分高まるのであって、しかもかかる補強壁７が、開閉カバー３４における特に荷重が集中的に加わって変形し易いダンパーステー４との連結部位に形成されていることから、開閉カバー３４の変形が効果的に防止されるのである。
【００１７】
しかも枠状に形成した補強壁７の内部空間がコンベヤ装置８の駆動装置を格納するための収容空間Ｓとして利用することが出来るので、かかる駆動装置の収容空間を別途確保する必要がなくなるし、駆動装置が補強壁７により囲まれるので、該駆動装置が外部に露呈することがないし、また補強壁７にコンベヤ装置８を組み付けているので、従来のようにコンベヤ装置の組み付け部材を別途用意しなくともよいのである。
【００１８】
以上の実施形態では、開閉カバー３４の表面に突設する補強壁７を、平面視矩形に形成したが、これに限定されるものではない。
また以上の実施形態では、補強壁７にコンベヤ装置８を組み付けるようにしたが、これに限定されるものではなく、コンベヤ装置に代えて写真処理に必要なその他の構成機器を組み付けるようにしてもよい。
【００１９】
また以上の実施形態では、開閉カバー３４とダンパーステー４との連結を離脱自在とする構造として、ピストンロッド４２の先端に、連結軸５を備えた連結片５０を固着する一方、開閉カバー３４の裏面には、側面視略Ｌ字状に開口する係止部６３を備えた連結ブラケット６とを設けたが、これに限定されるものではなく、例えば図７及び図８に示すような構造としてもよい。
【００２０】
即ち図７及び図８に示す実施形態では、枢軸９１を備えた第１支持片９２と、この第１支持片９２の一端から屈曲する第２支持片９３とを備えたＬ字状の支持体９ａを形成して、該支持体９ａを前記枢軸９１を介して、ピストンロッド４２の先端に固着したプレート４４に揺動自由に取付けると共に、前記第２支持片９３に形成した貫通孔９４に、ネジ体９５を装着している。
【００２１】
一方、開閉カバー３４の裏面には、前記第２支持片９３の幅方向両端部が嵌合可能な一対の嵌合溝９６と、前記ネジ体９５が螺着可能なネジ孔９７とを備えた連結プレート９ｂを固着し、前記支持体９ａにおける第２支持片９３の幅方向両端部を連結プレート９ｂの嵌合溝９６に横方向から差し込んだ後、ネジ体９５をネジ孔９７に螺着することで、ピストンロッド４２を開閉カバー３４に連結し、またネジ体９５をネジ孔９７から離脱させて、第２支持片９３を嵌合溝９６から抜き外すことで、ピストンロッド４２と開閉カバー３４との連結を離脱させるようにしている。
【００２２】
【発明の効果】
以上のごとく請求項１記載の発明によれば、機体とこの機体に揺動可能に支持した開閉カバーとの間に、開閉カバーを開位置で保持するためのステーを架設した写真処理装置において、開閉カバーにおける前記ステーの連結部近傍に補強壁を一体に突設し、該補強壁に写真処理装置の構成機器を組み付けるようにしたことにより、開閉カバーにおける特に荷重が集中的に加わって変形し易いダンパーステーとの連結部位の剛性が十分高まり、従って開閉カバーの肉厚を厚くせずとも、かかる開閉カバーの変形を十分抑制することが出来るのあって、しかもかかる補強壁を写真処理の構成機器の組み付けにも有効利用することが出来るので、従来のように組み付け部材を別途用意しなくとも写真処理装置の構成機器を機体に対して簡単に組み付けることが出来る。
【００２３】
また請求項２記載の発明によれば、請求項１記載の発明において、補強壁を枠状に形成して、該補強壁内を写真処理の構成機器の収容空間としたことにより、請求項１記載の効果に加えて、枠状の補強壁により囲まれた内部空間を有効に利用することが出来、かかる写真処理装置の構成機器の収容空間を別途確保する必要がなくなるし、前記構成機器を補強壁により保護することが出来る。
【図面の簡単な説明】
【図１】本発明を適用した写真処理装置の概略斜視図。
【図２】同、開閉カバーを開いた状態の写真処理装置の概略斜視図。
【図３】開閉カバーの斜視図。
【図４】開閉カバーを開いた状態の写真処理装置の説明図。
【図５】ダンパーステーの要部の分解斜視図。
【図６】ダンパーステーとカバーとの連結部位の別の実施形態を示す概略側面図。
【図７】ダンパーステーの別の実施形態を示す要部の分解斜視図。
【図８】ダンパーステーとカバーとの連結部位の別の実施形態を示す概略側面図。
【符号の説明】
１      写真処理装置
３０    機体
３４    開閉カバー
４      ダンパーステー（ステー）
７      補強壁
８      コンベヤ装置（写真処理の構成機器）
Ｓ      収容空間
【図１】
0003593855.tif 000002
【図２】
0003593855.tif 000003
【図３】
0003593855.tif 000004
【図４】
0003593855.tif 000005
【図５】
0003593855.tif 000006
【図６】
0003593855.tif 000007
【図７】
0003593855.tif 000008
【図８】
0003593855.tif 000009